(57)【要約】【課題】駆動条件によらず、プッシュ側トランジスタとプル側トランジスタのコレクタ損失の差による温度差をなくすことで、印刷停止時間、もしくはコレクタ損失を抑えるための低消費電力モードでの印刷時間を最小限に抑え、スループットの低下が防げるインクジェット記録ヘッド駆動装置を提供する。【解決手段】制御部４２、駆動波形生成回路４３、駆動波形の電流を増幅するプッシュプル電流増幅回路４４を備え、プッシュプル電流増幅回路４４に用いるプッシュ側トランジスタ４５ａとプル側トランジスタ４５ｂの温度を検出する温度検出手段４６ａ，５６ｂを設け、温度検出手段４６ａ，４６ｂで検出されたプッシュ側トランジスタ４５ａの温度とプル側トランジスタ４５ｂの温度とを比較し、プッシュ側トランジスタとプル側トランジスタの温度差が所定のしきい値を超えたときに、駆動波形生成回路４３で駆動波形のデータにオフセット値を加える構成になっていることを特徴とする。【選択図】図１
2013000916.tif 000002
【特許請求の範囲】
【請求項１】
圧電素子に駆動波形を印加することにより、振動板を介して圧力室の容積を膨張・収縮させて、圧力室から印字ノズルを通してインク滴を吐出するインクジェット記録ヘッドを駆動するための駆動波形データを出力する制御部と、
前記制御部によって出力された駆動波形のデータから前記駆動波形を生成する駆動波形生成回路と、
前記駆動波形生成回路で生成した駆動波形の電流を増幅するプッシュプル電流増幅回路と、
を備えたインクジェット記録ヘッド駆動装置において、
前記プッシュプル電流増幅回路に用いるプッシュ側トランジスタとプル側トランジスタの温度を個々に検出する温度検出手段を設け、
前記温度検出手段で検出されたプッシュ側トランジスタの温度とプル側トランジスタの温度とを比較し、プッシュ側トランジスタとプル側トランジスタの温度差が所定のしきい値を超えたときに、前記駆動波形生成回路で前記駆動波形のデジタルデータにオフセット値を加える構成になっていることを特徴とするインクジェット記録ヘッド駆動装置。
【請求項２】
請求項１に記載のインクジェット記録ヘッド駆動装置において、
前記オフセット値は、前記プッシュ側トランジスタの温度と前記プル側トランジスタの温度の比較において、プッシュ側トランジスタの温度がプル側トランジスタの温度より前記しきい値を越えて高い場合、前記駆動波形のデジタルデータの初期値に対して増加するようにオフセットすることを特徴とするインクジェット記録ヘッド駆動装置。
【請求項３】
請求項１または２に記載のインクジェット記録ヘッド駆動装置において、
前記オフセット値は、前記プッシュ側トランジスタの温度と前記プル側トランジスタの温度の比較において、プッシュ側トランジスタの温度がプル側トランジスタの温度より前記しきい値を越えて低い場合、前記駆動波形のデジタルデータの初期値に対して減少するようにオフセットすることを特徴とするインクジェット記録ヘッド駆動装置。
【請求項４】
請求項１ないし３のいずれか１項に記載のインクジェット記録ヘッド駆動装置において、
前記しきい値は、任意に設定可能になっていることを特徴とするインクジェット記録ヘッド駆動装置。
【請求項５】
請求項１ないし３のいずれか１項に記載のインクジェット記録ヘッド駆動装置において、
前記オフセット値は、任意に設定可能になっていることを特徴とするインクジェット記録ヘッド駆動装置。
【請求項６】
請求項１ないし３のいずれか１項に記載のインクジェット記録ヘッド駆動装置において、
前記オフセット値は、前記温度検出素子によって検出した温度に応じて切り替え可能になっていることを特徴とするインクジェット記録ヘッド駆動装置。
【請求項７】
請求項１ないし３のいずれか１項に記載のインクジェット記録ヘッド駆動装置において、
前記温度検出手段はサーミスタで構成されていることを特徴とするインクジェット記録ヘッド駆動装置。
【請求項８】
圧電素子に駆動波形を印加することにより、振動板を介して圧力室の容積を膨張・収縮させて、圧力室から印字ノズルを通してインク滴を吐出するインクジェット記録ヘッドと、
前記インクジェット記録ヘッドを駆動するインクジェット記録ヘッド駆動装置と、
前記インクジェット記録ヘッドに対して被記録媒体を搬送する被記録媒体搬送手段と、
を備えたインクジェット記録装置において、
前記インクジェット記録ヘッド駆動装置が請求項１ないし７のいずれか１項に記載のインクジェット記録ヘッド駆動装置であることを特徴とするインクジェット記録装置。
【発明の詳細な説明】
【技術分野】
【０００１】
本発明は、インクジェット記録ヘッド駆動装置ならびにそれを備えたインクジェット記録装置に係り、特にインクを吐出させる圧電素子へ供給する駆動波形に関するものである。
【背景技術】
【０００２】
インクジェット記録ヘッドには、インクを吐出させるための圧力発生手段として圧電素子を用いた、いわゆるピエゾ型のものがある。このピエゾ型のインクジェット記録装置においては、駆動波形生成回路により駆動波形を生成し、生成した駆動波形をインクジェット記録ヘッドに入力し、駆動波形でピエゾ素子（圧電素子）を駆動することによるピエゾ素子の圧電効果でインク流路の壁面を変形させ、振動的に圧力を与えることでインクの吐出を行う。
【０００３】
このインクジェット記録ヘッドの駆動装置においては、駆動波形生成のためのデータが記憶されているメモリからそのデータを読み出し、読み出したデータをＤ／Ａ変換器でアナログ信号に変換し、電流増幅器により増幅することで駆動波形を生成する。 このインクジェット記録ヘッド駆動装置の電流増幅器として、特許第４４３８３９３号公報（特許文献１）に記載されているような、トランジスタを用いたプッシュプル回路で構成する手段が既に知られている。
【発明の概要】
【発明が解決しようとする課題】
【０００４】
しかし、今までのプッシュプル電流増幅回路を用いた駆動方法では、駆動条件によらずにプッシュ側トランジスタとプル側トランジスタのコレクタ損失の差をなくすことは難しいという課題がある。その理由を以下に述べる。
【０００５】
トランジスタの損失はコレクタ損失が主であり、コレクタ損失はコレクタ−エミッタ間電圧とコレクタ電流の積で表されるため、コレクタ−エミッタ間電圧が大きくなると、トランジスタの損失も大きくなる。プッシュプル電流増幅回路を用いて駆動波形を出力する場合、プッシュ側トランジスタのコレクタ−エミッタ間電圧とプル側トランジスタのコレクタ−エミッタ間電圧は駆動波形の形状に伴って変動し、同時にコレクタ損失も変動する。
【０００６】
駆動波形全体としてプッシュ側トランジスタとプル側トランジスタのコレクタ損失が等しくなれば良いが、駆動波形は何種類か使用するのが一般的であり、ゲイン補正をかける場合もあることから、駆動条件によらずにプッシュ側トランジスタとプル側トランジスタのコレクタ損失の差をなくすことは難しい。
【０００７】
駆動条件によってプッシュ側トランジスタとプル側トランジスタのコレクタ損失の差が発生した場合、コレクタ損失による発熱に差が生じ、プッシュ側トランジスタとプル側トランジスタの温度に差が生じる。プッシュ側トランジスタとプル側トランジスタのいずれかで温度が定格に近づくと印刷停止するか、コレクタ損失を抑えるために低消費電力モードでの印刷を行う必要がある。ところが、コレクタ損失の少ないトランジスタは温度の定格に対して余裕のある状態であり、プッシュ側トランジスタとプル側ト本ランジスタのコレクタ損失の差による温度差がない場合と比較するとスループットが低下するという問題があった。
【０００８】
また、特開２００４−９０５０２号公報（特許文献２）、特開２０１０−１８８５７８号公報（特許文献３）ならびに特開平７−１４８９２０号公報などには駆動条件の変化に対応して、圧電素子の制御を最適に行なう目的で、プッシュプル電流増幅回路のトランジスタの温度を検出し、検出した温度に応じて通常モードと駆動周波数を落とした負荷軽減モードを切り替えるインクジェット記録ヘッド駆動装置が開示されている。  
しかし、これらインクジェット記録ヘッド駆動装置では、プッシュ側トランジスタとプル側トランジスタのコレクタ損失の差による温度差によってスループットが低下するという問題は解消できていない。
【０００９】
本発明の目的は、駆動条件によらず、プッシュ側トランジスタとプル側トランジスタのコレクタ損失の差による温度差をなくすことで、印刷停止時間、もしくはコレクタ損失を抑えるための低消費電力モードでの印刷時間を最小限に抑え、スループットの低下が防げるインクジェット記録ヘッド駆動装置ならびにそれを備えたインクジェット記録装置を提供することにある。
【課題を解決するための手段】
【００１０】
前記目的を達成するため、第１の本発明は、
圧電素子に駆動波形を印加することにより、振動板を介して圧力室の容積を膨張・収縮させて、圧力室から印字ノズルを通してインク滴を吐出するインクジェット記録ヘッドを駆動するための駆動波形データを出力する制御部と、
前記制御部によって出力された駆動波形のデータから前記駆動波形を生成する駆動波形生成回路と、
前記駆動波形生成回路で生成した駆動波形の電流を増幅するプッシュプル電流増幅回路と、
を備えたインクジェット記録ヘッド駆動装置において、
前記プッシュプル電流増幅回路に用いるプッシュ側トランジスタとプル側トランジスタの温度を個々に検出する温度検出手段を設け、
前記温度検出手段で検出されたプッシュ側トランジスタの温度とプル側トランジスタの温度とを比較し、プッシュ側トランジスタとプル側トランジスタの温度差が所定のしきい値を超えたときに、前記駆動波形生成回路で前記駆動波形のデジタルデータにオフセット値を加える構成になっていることを特徴とするものである。
【００１１】
前記目的を達成するため、第２の本発明は、
圧電素子に駆動波形を印加することにより、振動板を介して圧力室の容積を膨張・収縮させて、圧力室から印字ノズルを通してインク滴を吐出するインクジェット記録ヘッドと、
前記インクジェット記録ヘッドを駆動するインクジェット記録ヘッド駆動装置と、
前記インクジェット記録ヘッドに対して被記録媒体を搬送する被記録媒体搬送手段と、
を備えたインクジェット記録装置において、
前記インクジェット記録ヘッド駆動装置が前記第１の発明のインクジェット記録ヘッド駆動装置であることを特徴とするものである。
【発明の効果】
【００１２】
本発明は前述のような構成になっており、駆動条件によらず、プッシュ側トランジスタとプル側トランジスタのコレクタ損失の差による温度差をなくすことで、印刷停止時間、もしくはコレクタ損失を抑えるための低消費電力モードでの印刷時間を最小限に抑え、スループットの低下が防げるインクジェット記録ヘッド駆動装置ならびにそれを備えたインクジェット記録装置を提供することができる。
【図面の簡単な説明】
【００１３】
【図１】本実施形態に係るインクジェット記録ヘッドとインクジェット記録ヘッド駆動装置の接続関係を示す概略構成図である。
【図２】図１に示したインクジェット記録ヘッド駆動装置から出力される駆動波形について説明するための図である。
【図３】本実施形態に係るインクジェット記録ヘッドの駆動方法を説明するためのフローチャートである。
【図４】本発明の実施形態に係るオンデマンド方式のライン走査型インクジェット記録装置の全体構成を示す概略構成図である。
【図５】本発明の実施形態に係る記録ヘッド本体の構成を示す平面図である。
【図６】その記録ヘッド本体を構成するへッドユニットの拡大底面図である。
【図７】そのへッドユニットの拡大断面図である。
【発明を実施するための形態】
【００１４】
本発明は、プッシュプル電流増幅回路を用いたインクジェット記録ヘッド駆動装置によるインクジェット記録ヘッドの駆動に際して、以下の特徴を有している。  
要するに、温度検出素子を備え、プッシュ側トランジスタとプル側トランジスタのそれぞれの温度を検出し、制御部にフィードバックする。
【００１５】
そしてプッシュ側トランジスタの温度がプル側トランジスタの温度に比べ所定のしきい値を越えて高い場合には、駆動波形データの初期値に対して、出力電圧が増加するようにオフセット値を加える。また、プッシュ側トランジスタの温度がプル側トランジスタの温度に比べ所定のしきい値を越えて低い場合には駆動波形データの初期値に対して、出力電圧が減少するようにオフセット値を加える。
【００１６】
このことで、駆動波形全体としてプッシュ側トランジスタとプル側トランジスタのコレクタ損失の差を抑え、温度差をしきい値以内とする。これによりプッシュ側トランジスタとプル側トランジスタを無駄なく動作させることができるので、印刷停止時間、もしくは低消費電力低消費電力低いモードでの印刷時間を最小限に抑え、スループットの低下を防ぐ手段を提供することができる。
【００１７】
次に本発明の実施形態を図面とともに説明する。  
図４は、本発明の実施形態に係るオンデマンド方式のライン走査型インクジェット記録装置の全体構成を示す概略構成図である。
【００１８】
図４に示すように、インクジェット記録装置１は、用紙供給部２と用紙回収部３の間に配置されている。用紙供給部２から高速で繰り出された長尺状の連続した記録用紙（被記録媒体）４は、インクジェット記録装置１で所望のカラー画像が形成され、用紙回収部３で順次巻き取り回収される。
【００１９】
インクジェット記録装置１内の用紙搬送手段は、用紙供給部２から供給された記録用紙４の幅方向の位置決めを行なう規制ガイド５、駆動ローラと従動ローラで構成されたインフィード部６、記録用紙４の張力に応じて上下して位置信号を出力するダンサローラ７、記録用紙４の蛇行を制御するＥＰＣ（Ｅｄｇｅ  Ｐｏｓｉｔｉｏｎ  Ｃｏｎｔｒｏｌ）８、蛇行量のフィードバックに使用する蛇行量検知器９、記録用紙４を設定された速度で搬送するために一定速度で回転する駆動ローラと従動ローラで構成されたアウトフィード部１０、記録用紙４を装置外へ排出する駆動ローラと従動ローラで構成されたプラー１１などから構成されている。
【００２０】
この用紙搬送手段は、前記ダンサローラ７の位置検出を行い、前記インフィード部６の回転を制御して搬送中の記録用紙４の張力を一定に保つ張力制御型の用紙搬送手段である。
【００２１】
またインクジェット記録装置１内には、インクジェット記録ヘッド１２と、そのインクジェット記録ヘッド１２と対向するように設けられたプラテン１３と、乾燥手段１４が設けられている。
【００２２】
前記インクジェット記録ヘッド１２は印字ノズルを印刷幅全域に配置したライン型のヘッドで、カラー印刷はブラック、シアン、マゼンダ、イエローの各ラインヘッドにより行なわれ、各ラインヘッドのノズル面は前記プラテン１３上に所定の隙間を保って支持されている。インクジェット記録ヘッド１２が用紙搬送速度に同期してインク滴の吐出を行なうことで、記録用紙４上にカラー画像を形成する。
【００２３】
前記乾燥手段１４は、インクジェット記録ヘッド１２により塗布されたインクを記録用紙４上に定着させるためのものである。本実施形態において乾燥手段１４は記録用紙４から若干離れた非接触式の乾燥手段を用いているが、接触式の乾燥手段であってもよい。
【００２４】
図５は、前記インクジェット記録ヘッド１２における記録ヘッド本体１５の構成を示す平面図である。  
本実施形態で用いる記録ヘッド本体１５は、ブラックのインク滴を吐出するブラック用ヘッドアレイ１６Ｋ、シアンのインク滴を吐出するシアン用ヘッドアレイ１６Ｃ、マゼンダのインク滴を吐出するマゼンダ用ヘッドアレイ１６Ｍ、イエローのインク滴を吐出するイエロー用ヘッドアレイ１６Ｙの集合体により構成されている。
【００２５】
各１６Ｋ、１６Ｃ、１６Ｍ、１６Ｙは、図に示すように記録用紙４の搬送方向（矢印方向）と直交する方向に延びており、このようにヘッドをアレイ化することにより、広域な印刷領域幅を確保している。
【００２６】
さらに各１６Ｋ、１６Ｃ、１６Ｍ、１６Ｙは、複数個のへッドユニット１７により構成されており、本実施形態ではへッドユニット１７を２列各３個、千鳥状に配列している。このようにへッドユニット１７を複数個千鳥状に配列することにより、記録ヘッド本体１５の小型化が図れる。
【００２７】
図６は、前記へッドユニット１７の拡大底面図である。  
同図に示すように、へッドユニット１７のノズル面（底面）１８には多数の印字ノズル１９がへッドユニット１７の長手方向に沿って配列されて、ノズル列を構成している。本実施形態ではノズル列は１列であるが、複数列設けることもできる。ノズル列を複数列設ける場合、印字ノズル１９を互いに千鳥状に配置すれば、高解像度に対応することができる。
【００２８】
図７は、前記へッドユニット１７の拡大断面図である。  
同図に示すようにへッドユニット１７は、流路基板２０と、高剛性プレート２１と、圧電素子（ピエゾ素子）２２とから主に構成されている。
【００２９】
前記流路基板２０は、多数の印字ノズル１９を形成したノズルプレート２３と、前記印字ノズル１９と連通する連通流路２４を有するチャンバープレート２５と、圧力室２６とリストリクタ２７を兼ねた開口穴２８を有するリストリクタプレート２９と、前記圧力室２６とリストリクタ２７を封止する薄板のダイアフラムプレート３０の積層体から構成されている。前記ダイアフラムプレート３０は、振動板３１を有している。
【００３０】
前記高剛性プレート２１は、前記流路基板２０を保持すると共に、外部からインクを導入して貯留する共通インク室３２が形成され、共通インク室３２の前記流路基板２０側はインク供給のため開口している。共通インク室３２の隣に開口溝３３が形成され、そこに前記圧電素子２２が挿入され、圧電素子２２は前記ダイアフラムプレート３０の振動板３１に固着されている。
【００３１】
このへッドユニット１７は、圧電素子２２に駆動波形を印加することにより、前記振動板３１を介して、前記圧力室２６の容積を膨張・収縮させて、その圧力室２６から印字ノズル１９を通してインク滴を吐出して、前記記録用紙４上に着弾して所望の画像を形成する。
【００３２】
図１は、本実施形態に係るインクジェット記録ヘッド１２と、それを駆動するインクジェット記録ヘッド駆動装置４０の接続関係を示す概略構成図である。  
同図に示すように、インクジェット記録ヘッド１２は、多数の印字ノズル１９に対応してそれぞれ設けられた圧電素子２２と、印刷画像に応じた印字データによりＯＮ／ＯＦＦして圧電素子２２を駆動するスイッチ回路４１を有している。
【００３３】
一方、インクジェット記録ヘッド駆動装置４０は、駆動波形データと印字データを出力する制御部４２と、前記駆動波形データから駆動波形を生成する駆動波形生成回路４３と、その駆動波形生成回路４３で生成した駆動波形の電流を増幅する電流増幅部４４を有している。
【００３４】
前記電流増幅部４４は、プッシュ側トランジスタ４５ａと、プル側トランジスタ４５ｂと、前記プッシュ側トランジスタ４５ａの温度を検出する第１の温度検出素子４６aと、前記プル側トランジスタ４５ｂの温度を検出する第２の温度検出素子４６ｂから構成されている。
【００３５】
前記プッシュ側トランジスタ４５ａは、コレクタが定電圧電源４７に接続され、ベースが駆動波形発生回路４３の第１の出力側に接続されると共に、エミッタがスイッチ回路４１の入力側に接続されている。これにより、プッシュ側トランジスタ４５ａは、駆動波形生成回路４３からの駆動波形に基づき、スイッチ回路４１を介して圧電素子２２を充電する。
【００３６】
前記プル側トランジスタ４５ｂは、エミッタがスイッチ回路４１の入力側に接続され、ベースが駆動波形生成回路４３の第２の出力側に接続されると共に、コレクタがグランドに接続されている。これにより、プル側トランジスタ４５ｂは、駆動波形生成回路４３からの駆動波形に基づき、圧電素子２２からスイッチ回路１４を介して放電する構成になっている。
【００３７】
図２は、図１に示したインクジェット記録へッド駆動装置４０から出力される駆動波形について説明するための図である。  
本実施形態においては、前記プッシュ側トランジスタ４５ａとプル側トランジスタ４５ｂの温度差のしきい値は１０℃、オフセット値はインクジェット記録へッド駆動装置４０が出力する電圧値が０．５Ｖ変化する値とする。
【００３８】
インクジェット記録ヘッド駆動装置４０は駆動波形５０(初期値)を出力する。その際、第１の温度検出素子４６aがプッシュ側トランジスタ４５aの温度を検出し、第２の温度検出素子４６bがプル側トランジスタ４５bの温度を検出し、その検出値を制御部４２に入力する。制御部４２ではトランジスタ４５aと４５bの温度を比較し、プッシュ側トランジスタ４５ａの温度がプル側トランジスタ４５ｂの温度よりも１０℃を越えて高かった場合、出力電圧が０．５Ｖ増加するように制御部４２が駆動波形５０(初期値)に対してオフセット値を加えた駆動波形データを出力し、駆動波形５１のように駆動波形全体の電圧を高くすることで、プッシュ側トランジスタ４５ａのコレクタ損失を減少させる。この動作をプッシュ側トランジスタ４５ａとプル側トランジスタ４５ｂの温度差が１０℃以内となるまで設定電圧範囲５２内において繰り返す。
【００３９】
また逆に、プッシュ側トランジスタ４５ａの温度がプル側トランジスタ４５ｂの温度よりも１０℃を越えて低かった場合、出力電圧が０．５Ｖ減少するように制御部４２が駆動波形５０(初期値)に対してオフセット値を加えた駆動波形データを出力し、駆動波形５３のように駆動波形全体の電圧を低くすることで、プル側トランジスタ４５ｂのコレクタ損失を減少させる。この動作をプッシュ側トランジスタ４５ａとプル側トランジスタ４５ｂの温度差が１０℃以内となるまで設定電圧範囲５２内において繰り返す。
【００４０】
なお、プッシュ側トランジスタ４５ａとプル側トランジスタ４５ｂの温度差のしきい値は任意の値、または複数のしきい値を設定できるようになっている。また、オフセット値も任意の値、さらに複数のオフセット値が設定できるようになっている。あるいは検出した温度に応じたオフセット値が設定できるようにすることも可能である。
【００４１】
図３は、本実施形態に係るインクジェット記録ヘッドの駆動方法を説明するためのフローチャートである。  
Ｓ１：印刷開始後、第１の温度検出素子４６ａがプッシュ側トランジスタ４５ａの温度を検出し、第２の温度検出素子４６ｂがプル側トランジスタ４５ｂの温度を検出する。  
Ｓ２：プッシュ側トランジスタ４５ａとプル側トランジスタ４５ｂの温度差が１０℃以内であるか判断する。
【００４２】
Ｓ３：プッシュ側トランジスタ４５ａとプル側トランジスタ４５ｂの温度差が１０℃以内でなかった場合、プッシュ側トランジスタ４５ａの温度がプル側トランジスタ４５ｂの温度よりも高いかどうか判断する。  
Ｓ４：プッシュ側トランジスタ４５ａの温度がプル側トランジスタ４５ｂの温度よりも１０℃を超えて高い場合、出力電圧が０．５Ｖ増加するように制御部４２（図１参照）が駆動波形データの初期値に対してオフセット値を加える。  
Ｓ５：プッシュ側トランジスタ４５ａの温度がプル側トランジスタ４５ｂの温度よりも１０℃を超えて低い場合、出力電圧が０．５Ｖ減少するように制御部４２（図１参照）が駆動波形データの初期値に対してオフセット値を加える。
【００４３】
Ｓ６：ここで、印刷停止かどうか判断する。印刷停止でない場合は、再度Ｓ１から処理を行なう。  
Ｓ７：印刷停止の場合、印刷を終了する。  
本実施形態では前記の一連の処理を１０秒間隔で印刷停止まで繰り返す。なお、この処理の周期は任意に設定できるようになっている。
【００４４】
次に前記特許文献に記載されている発明と本発明との違いについて、簡単に説明する。  
前記特開２００４−９０５０２号公報に記載されている発明は、プッシュプル電流増幅回路のトランジスタの温度を検出し、検出した温度に応じて通常モードと駆動周波数を落とした負荷軽減モードを切り替える。この負荷軽減モードは、消費電力を下げたスループットの低い状態である。  
これに対して本発明は、プッシュ側トランジスタとプル側トランジスタの温度を検出し、プッシュ側トランジスタとプル側トランジスタの温度差に応じて補正を行い、プッシュ側トランジスタとプル側トランジスタを無駄なく動作させることで、消費電力を下げずに圧電素子を駆動させることが可能となり、これによりスループットの低下を防止するものである。
【００４５】
前記特開２０１０−１８８５７８号公報、前記特開平１０−２０２８６１号公報ならびに特開平７−１４８９２０号公報に記載されている発明は、インクジェット記録ヘッド近傍の温度を検出して、その環境温度に応じて効率が良く、かつインク滴吐出に影響がない電圧値にするために補正を行なうものである。  
これに対して本発明は、環境温度の検出ではなく、プッシュ側トランジスタとプル側トランジスタの温度を検出して、プッシュ側トランジスタとプル側トランジスタの温度差に応じて補正を行い、プッシュ側トランジスタとプル側トランジスタを無駄なく動作させて、スループットの低下を防ぐものである。
【符号の説明】
【００４６】
１：インクジェット記録装置、
４：記録用紙（被記録媒体）、
１２：インクジェット記録ヘッド、
１９：印字ノズル、
２２：圧電素子、
２６：圧力室、
３１：振動板、
４０：インクジェット記録ヘッド駆動装置、
４１：スイッチ回路、
４２：制御部、
４３：駆動波形生成回路、
４４：電流増幅部、
４５ａ：プッシュ側トランジスタ、
４５ｂ：プル側トランジスタ、
４６ａ：第１の温度検出素子、
４６ｂ：第２の温度検出素子、
５０，５１，５３：駆動波形、
５２：設定電圧範囲。
【先行技術文献】
【特許文献】
【００４７】
【特許文献１】特許第４４３８３９３号公報
【特許文献２】特開２００４−９０５０２号公報
【特許文献３】特開２０１０−１８８５７８号公報
【特許文献４】特開平１０−２０２８６１号公報
【特許文献５】特平７−１４８９２０号公報
【図１】
2013000916.tif 000003
【図２】
2013000916.tif 000004
【図３】
2013000916.tif 000005
【図４】
2013000916.tif 000006
【図５】
2013000916.tif 000007
【図６】
2013000916.tif 000008
【図７】
2013000916.tif 000009